(57)【要約】【課題】表示不良の発生を防止する。【解決手段】ケース２０内に収容されるランプ２１の両端部には、ゴムホルダ２３が装着されており、ゴムホルダ２３がケース２０に開口して設けられた取付孔２９に取り付けられることで、ランプ２１をケース２０内にて支持可能とされる。ケース２０には、ゴムホルダ２３を収容可能な収容室４２を備え、ゴムホルダ２３及び取付孔２９を覆うランプホルダ２５が装着される。ゴムホルダ２３の本体部３２における両側面３２ｂには、部分的に突出するとともに、ランプホルダ２５に対して弾性変形しつつ密接可能な密接突部５０が設けられている。【選択図】図６
2008140725.tif 000002
【特許請求の範囲】
【請求項１】
管状をなすランプと、
前記ランプを収容可能なケースと、
弾性材料からなり、前記ランプの両端部に装着されることで、前記ランプを前記ケース内にて支持可能なランプ支持部品と、
前記ケースのうち、前記ランプ支持部品の被着位置に開口して設けられて前記ランプ支持部品を取付可能な取付孔と、
前記ランプ支持部品及び前記取付孔を覆うようにして装着されるとともに、前記ランプ支持部品を収容可能な収容室を備えたランプホルダと、
前記ランプ支持部品の外面から部分的に突出していて、前記ランプホルダと前記ケースとの少なくともいずれ一方に対して弾性変形しつつ密接可能とされる密接突部とを備えている表示装置用照明装置。
【請求項２】
前記密接突部は、前記ランプ支持部品の外面のうち、前記ランプが装着された面と隣接し且つ前記ランプホルダの着脱方向に沿った両側面に設けられるとともに、前記ランプホルダのうち前記収容室の内面に密接可能とされている請求項１記載の表示装置用照明装置。
【請求項３】
前記密接突部は、前記ランプ支持部品の外面のうち、前記ケースとの対向面とは反対側の面と、前記ランプが装着された面とは反対側の面との少なくともいずれか一方に設けられるとともに、前記ランプホルダのうち前記収容室の内面に密接可能とされている請求項１または請求項２記載の表示装置用照明装置。
【請求項４】
前記密接突部は、前記ランプ支持部品の外面のうち、前記ケースとの対向面に設けられるとともに、前記ケースに密接可能とされている請求項１ないし請求項３のいずれか１項に記載の表示装置用照明装置。
【請求項５】
前記収容室の内面には、部分的に突出するとともに前記ランプ支持部品の外面に当接することで、前記ランプ支持部品を位置決め可能な位置決め突部が設けられている請求項１ないし請求項４のいずれか１項に記載の表示装置用照明装置。
【請求項６】
前記密接突部は、前記ランプ支持部品の外面にてほぼ直線的に延出する形態とされるとともに、前記ランプ支持部品の外面のうち前記位置決め突部との当接部位を挟んだ位置に一対設けられ、さらにそれら密接突部の延出方向が互いに交差する設定とされている請求項５記載の表示装置用照明装置。
【請求項７】
前記位置決め突部には、前記ランプ支持部品の外面に沿って延出する延出部が設けられており、
前記密接突部は、前記収容室の内面に密接可能なものと、前記延出部に対して密接可能なものとが設けられている請求項５または請求項６記載の表示装置用照明装置。
【請求項８】
前記密接突部は、片持ち状の突片により構成されている請求項１ないし請求項７のいずれか１項に記載の表示装置用照明装置。
【請求項９】
前記密接突部は、先端側に行くに連れて厚みが薄くなる形態とされている請求項８記載の表示装置用照明装置。
【請求項１０】
前記密接突部は、自然状態において前記ランプホルダの着脱方向に対して交差する方向に突出する形態とされている請求項８または請求項９記載の表示装置用照明装置。
【請求項１１】
前記密接突部は、前記ランプ支持部品の外面にて複数並んで設けられている請求項１ないし請求項１０のいずれか１項に記載の表示装置用照明装置。
【請求項１２】
前記各密接突部間の距離がほぼ一定になる配置とされている請求項１１記載の表示装置用照明装置。
【請求項１３】
前記ランプ支持部品には、前記取付孔の孔縁に係止することで、前記ランプ支持部品を前記ケースから抜け止め状態に保持可能な抜け止め部が設けられている請求項１ないし請求項１２のいずれか１項に記載の表示装置用照明装置。
【請求項１４】
前記ランプ支持部品には、前記抜け止め部に隣接して、前記ランプに接続したリード線を引き出すためのリード線引き出し部が設けられているのに対し、前記取付孔は、前記抜け止め部と前記リード線引き出し部とにわたる範囲に開口して設けられている請求項１３記載の表示装置用照明装置。
【請求項１５】
前記請求項１ないし前記請求項１４のいずれか１項に記載の表示装置用照明装置と、その表側に配される表示パネルとを備えている表示装置。
【請求項１６】
前記表示パネルは、液晶パネルにより構成されている請求項１５記載の表示装置。
【発明の詳細な説明】
【技術分野】
【０００１】
本発明は、表示装置用照明装置、及び表示装置に関する。
【背景技術】
【０００２】
液晶表示装置は、大まかには、表示パネルである液晶パネルと、その裏側に配される外部光源であるバックライトとを組み付けた構成とされる。バックライトは、液晶パネル側の面が開口したケース内に複数本のランプが収容されるとともに、ケースの開口部に拡散板や拡散シートなどの光学部材群が積層された状態で設置された構成とされ、光学部材群によりランプから照射された線状の光を面状の光に変換するようにしている。
【０００３】
ところで、液晶パネルと光学部材との間には、所定厚み分の空間が確保されており、この空間に塵埃が侵入すると、その塵埃がランプにより投影されてしまい、表示不良として発現するという問題があった。この問題に対処したものとして、従来、下記特許文献１に記載された技術が知られている。
【０００４】
このものは、図１７に示すように、液晶パネル１と、その裏側に配される枠材２との間に弾性体３を介設することで、液晶パネル１と光学部材４との間の空間５内に塵埃が侵入するのを防ぐようにしている。
【特許文献１】特開２００５−２７５１０３公報
【発明の開示】
【発明が解決しようとする課題】
【０００５】
ところが、上記した対策をもってしても未だ表示不良の問題が頻発しており、その原因は、本願発明者が見出したところによれば次の通りであった。
【０００６】
すなわち、バックライトのケース内では、ランプが点灯するのに伴って温度が上昇するため、ケース内の空気に対流が起こる。ここで、ケースの底板には、ランプの両端部に装着されたゴムホルダを装着するための取付孔が開口して設けられており、この取付孔とゴムホルダとの間には、ゴムホルダの装着作業の容易化を図るべく、所定のクリアランスが確保されている。このため、上記したようにケース内の空気に対流が発生すると、ゴムホルダと取付孔とのクリアランスを通して外部の空気がケース内に導入されるおそれがある。そして、この外部の空気に含まれた塵埃がケース内に侵入し、表示不良の原因となっている可能性があった。
【０００７】
本発明は上記のような事情に基づいて完成されたものであって、表示不良の発生を防止することを目的とする。
【課題を解決するための手段】
【０００８】
本発明は、管状をなすランプと、前記ランプを収容可能なケースと、弾性材料からなり、前記ランプの両端部に装着されることで、前記ランプを前記ケース内にて支持可能なランプ支持部品と、前記ケースのうち、前記ランプ支持部品の被着位置に開口して設けられて前記ランプ支持部品を取付可能な取付孔と、前記ランプ支持部品及び前記取付孔を覆うようにして装着されるとともに、前記ランプ支持部品を収容可能な収容室を備えたランプホルダと、前記ランプ支持部品の外面から部分的に突出していて、前記ランプホルダと前記ケースとの少なくともいずれ一方に対して弾性変形しつつ密接可能とされる密接突部とを備えている。
【０００９】
このようにすれば、ランプの両端部に装着されたランプ支持部品がケースの取付孔に取り付けられた状態で、ランプホルダが装着されると、ランプ支持部品が収容室内に収容されるとともに、ランプ支持部品及び取付孔がランプホルダにより覆われる。ここで、ランプが点灯されると、ケース内の温度が上昇して内部の空気に対流が生じ、それに伴って取付孔を通って外部の空気が導入されると、そこに含まれる塵埃の侵入が懸念される。ところが、ランプホルダとケースとの少なくともいずれか一方に対して密接突部が弾性変形しつつ密接することで、塵埃の侵入経路が塞がれるから、外部の塵埃が収容室内に侵入したり、収容室から中央側の空間に侵入するのが極力防がれる。密接突部は、ランプ支持部品の外面から部分的に突出する形態であるから、ランプホルダの装着作業性を良好に保つことができる。
【００１０】
本発明の実施態様として、次の構成が好ましい。
（１）前記密接突部は、前記ランプ支持部品の外面のうち、前記ランプが装着された面と隣接し且つ前記ランプホルダの着脱方向に沿った両側面に設けられるとともに、前記ランプホルダのうち前記収容室の内面に密接可能とされる構成とする。このようにすれば、ランプ支持部品と取付孔との間に、ランプの軸線方向と交差する方向についてクリアランスがあった場合でも、そのクリアランスを通って塵埃が侵入するのを有効に防ぐことができる。
【００１１】
（２）前記密接突部は、前記ランプ支持部品の外面のうち、前記ケースとの対向面とは反対側の面と、前記ランプが装着された面とは反対側の面との少なくともいずれか一方に設けられるとともに、前記ランプホルダのうち前記収容室の内面に密接可能とされる構成とする。このように、ランプ支持部品と取付孔との間に、ランプの軸線方向についてクリアランスがあった場合でも、そのクリアランスを通って塵埃が侵入するのを有効に防ぐことができる。
【００１２】
（３）前記密接突部は、前記ランプ支持部品の外面のうち、前記ケースとの対向面に設けられるとともに、前記ケースに密接可能とされる構成とする。このように、ランプ支持部品とケースとの間にクリアランスが生じた場合でも、そのクリアランスを通って塵埃が侵入するのを有効に防ぐことができる。
【００１３】
（４）前記収容室の内面には、部分的に突出するとともに前記ランプ支持部品の外面に当接することで、前記ランプ支持部品を位置決め可能な位置決め突部が設けられる構成とする。このように、位置決め突部によって収容室内に収容されたランプ支持部品を位置決めすることができる。
【００１４】
（５）前記密接突部は、前記ランプ支持部品の外面にてほぼ直線的に延出する形態とされるとともに、前記ランプ支持部品の外面のうち前記位置決め突部との当接部位を挟んだ位置に一対設けられ、さらにそれら密接突部の延出方向が互いに交差する設定とされる構成とする。これにより、互いに交差する向きに延出する密接突部によって塵埃の侵入を効果的に防止することができる。
【００１５】
（６）前記位置決め突部には、前記ランプ支持部品の外面に沿って延出する延出部が設けられており、前記密接突部は、前記収容室の内面に密接可能なものと、前記延出部に対して密接可能なものとが設けられているとする。これにより、さらに高い防塵効果を得ることができる。
【００１６】
（７）前記密接突部は、片持ち状の突片により構成されるものとする。これにより、片持ち状の突片からなる密接突部により塵埃の侵入を効果的に防止することができる。
【００１７】
（８）前記密接突部は、先端側に行くに連れて厚みが薄くなる形態とされる構成とする。これにより、密接時に密接突部が容易に変形するので、組み付け作業性に優れる。
【００１８】
（９）前記密接突部は、自然状態において前記ランプホルダの着脱方向に対して交差する方向に突出する形態とされる構成とする。これにより、ランプホルダの装着に伴って密接突部が変形するが、この変形時における密接突部の形状が定まり易くなるので、塵埃の侵入を安定的に防止することができる。
【００１９】
（１０）前記密接突部は、前記ランプ支持部品の外面にて複数並んで設けられる構成とする。これにより、複数並んだ密接突部によって塵埃の侵入を防ぐことができるから、一層高い防塵効果を得ることができる。
【００２０】
（１１）前記各密接突部間の距離がほぼ一定になる配置とされる構成とする。これにより、良好な防塵効果を得ることができる。
【００２１】
（１２）前記ランプ支持部品には、前記取付孔の孔縁に係止することで、前記ランプ支持部品を前記ケースから抜け止め状態に保持可能な抜け止め部が設けられる構成とする。このように、取付孔の孔縁に係止する抜け止め部によりランプ支持部品をケースから抜け止め状態に保持することができる。
【００２２】
（１３）前記ランプ支持部品には、前記抜け止め部に隣接して、前記ランプに接続したリード線を引き出すためのリード線引き出し部が設けられているのに対し、前記取付孔は、前記抜け止め部と前記リード線引き出し部とにわたる範囲に開口して設けられる構成とする。このように、取付孔が抜け止め部とリード線引き出し部とにわたる範囲に形成されているから、ランプ支持部品の装着作業が容易なものとなる。
【００２３】
（１４）前記表示パネルは、液晶パネルにより構成されるものとする。これにより、テレビ、モニタ、携帯型情報端末など様々な製品に本発明を適用することができる。
【発明の効果】
【００２４】
本発明によれば、表示不良の発生を防止することができる。
【発明を実施するための最良の形態】
【００２５】
＜実施形態１＞
本発明の実施形態１を図１ないし図７によって説明する。この実施形態１では、液晶表示装置１０を例示する。なお、以下では、上下方向については図３及び図５を基準とし、且つ同図上側を表側とし、下側を裏側として説明する。
【００２６】
液晶表示装置１０は、大まかには、図１に示すように、画像を表示するための表示パネルである液晶パネル１１と、その裏側（背面側）に配される外部光源であるバックライト１２とを互いに組み付けた構成とされる。液晶パネル１１は、その裏側のバックライト１２と、表側に配された略枠形をなすベゼル１３との間に挟まれた状態で保持される。
【００２７】
液晶パネル１１は、大まかには、全体として矩形状をなしており、図４に示すように、一対の透明な（透光性を有する）ガラス製の基板１４，１５と、両基板１４，１５間に挟持されるとともに電界印加に伴って光学特性が変化する物質である液晶１６とを備えている。両基板１４，１５は、互いに対向するとともに図示しないスペーサによって間に所定の間隔（ギャップ）を空けた状態で貼り合わせられ、間に挟持された液晶１６は、シール剤１７によって取り囲まれて液密状態に保たれる。また、両基板１４，１５の外面側には、それぞれ表裏一対の偏光板１８，１９が貼り付けられている。
【００２８】
両基板１４，１５は、表側がＣＦ基板１４とされ、裏側がアレイ基板１５とされる。アレイ基板１５における内面側（液晶１６側、ＣＦ基板１４との対向面側）には、スイッチング素子（例えばＴＦＴ）及び画素電極が多数個並んで設けられるとともに、これらスイッチング素子及び画素電極（画素）の周りには、格子状をなすソース配線及びゲート配線が取り囲むようにして配設されている。アレイ基板１５の縁近辺には、各配線の端子部が設けられ、この端子部に対して画像信号を供給する外部回路に接続されたドライバ（電子部品）が圧着接続されるようになっている。一方、ＣＦ基板１４には、アレイ基板１５側の画素電極と対向する対向電極が設けられるとともに、各画素に対応した位置にカラーフィルタが多数個並んで設けられている。カラーフィルタは、Ｒ，Ｇ，Ｂの三色が交互に並ぶ配置とされる。
【００２９】
次に、バックライト１２について説明する。バックライト１２は、図１及び図４に示すように、大まかには、表側（正面側、液晶パネル１１側）に向けて開口した略箱形のケース２０内に多数本のランプ２１を収容するとともに、ケース２０の開口部に複数枚の光学部材２２（例えば裏側から順に拡散板、拡散シート、レンズシート、及び輝度上昇シート）を積層して設置した構成とされる。
【００３０】
このうち、ランプ２１は、ケース２０に取り付けられるゴムホルダ２３及びランプクリップ２４によりケース２０内にて所定の姿勢で支持される。一方、光学部材２２群は、ケース２０に装着されるランプホルダ２５に形成された受け部や受け部材２６に載せられた状態で表側から取り付けられる略枠状のフレーム２７によって挟持されるようになっている。光学部材２２群により、線状光源である各ランプ２１から発せられる線状の光を面状の光に変換できるようになっている。また、フレーム２７の表側には液晶パネル１１が載せられるようになっている。
【００３１】
ランプ２１は、図２及び図３に示すように、冷陰極管などの線状光源であり、一方向にほぼ直線的に延出する管状をなしている。ランプ２１の両端部には、リード線Ｗの一端側が半田付けなどにより固着されており、このリード線Ｗの他端側が図示しないインバータ基板に接続されている。ランプ２１は、非発光部である両端部がゴムホルダ２３により、発光部である中間部分（両端部を除いた途中部分）がランプクリップ２４によりそれぞれケース２０の底板２０ａから少し浮いた状態で支持される。ランプ２１は、ケース２０内に多数本並んで設置されており、互いの軸線がほぼ平行になり且つケース２０の底板２０ａとほぼ平行になる姿勢に支持されている。
【００３２】
ケース２０は、金属製とされており、液晶パネル１１に合わせて平面視矩形状に形成されるとともに、その長辺方向（図３に示す左右方向）に対して収容される各ランプ２１の軸線方向がほぼ平行になっている。ケース２０内には、ランプ２１から照射された光を反射させて液晶パネル１１側へ導くための反射シート２８が敷設されている。反射シート２８は、表面が光の反射性に優れた色（例えば白色）とされた合成樹脂製とされる。ケース２０の底板２０ａにおける長辺方向の両端部にランプホルダ２５が、短辺方向の両端部に受け部材２６がそれぞれ装着されるようになっている。なお、ケース２０の裏側には、各ランプ２１のリード線Ｗが接続されるインバータ基板や液晶パネル１１のドライバに接続される外部回路を有するコントロール基板（インバータ基板共々図示せず）などが設置されている。
【００３３】
ケース２０内の空間のうち、ランプホルダ２５及び受け部材２６よりも中央側の空間（反射シート２８、ランプホルダ２５、受け部材２６、及び光学部材２２により囲まれた空間）が液晶パネル１１の表示領域に対応していて、ここがランプ２１で発光した光を液晶パネル１１の表示領域へと導いて表示に寄与する照射空間Ｓとされるのに対し、ランプホルダ２５及び受け部材２６が装着された端側の空間が液晶パネル１１の非表示領域に対応していて、ここが表示に寄与しない非照射空間Ｈとなっている。
【００３４】
ケース２０の底板２０ａのうち、長辺方向の両端部（被着位置）には、ランプ２１に装着されたゴムホルダ２３を取り付けるための取付孔２９が厚み方向に貫通するとともに内外に開口して設けられている。取付孔２９は、底板２０ａにおいてその短辺方向に並んで多数設置されており、各取付孔２９間の距離（間隔、ピッチ）は一定になっている。取付孔２９は、幅広な（ケース２０の短辺方向に長い）幅広部２９ａと、幅広部２９ａから中央側へ突出する一対の幅狭部２９ｂとから構成されており、両幅狭部２９ｂに対応して一対のゴムホルダ２３が装着可能とされている。この取付孔２９は、ゴムホルダ２３側の取付部分（抜け止め部３８及びリード線引き出し部３７）に対してケース２０の長辺方向及び短辺方向のいずれにも所定のクリアランスが確保されており、これによりゴムホルダ２３の着脱作業の容易化が図られている。また、ケース２０の底板２０ａのうち、長辺方向における中央側には、ランプクリップ２４を取り付けるためのランプクリップ取付孔２９が所定の間隔を空けて多数設けられている。なお、反射シート２８は、取付孔２９には被らない大きさに形成されるとともに、上記各ランプクリップ取付孔３０に整合し連通する連通孔３１が多数設けられている。
【００３５】
ランプクリップ２４は、表面が光の反射性に優れた色（例えば、白色）とされた合成樹脂製とされており、ランプ２１の中間部分を把持可能なランプ把持部２４ａと、光学部材２２を裏側から支持可能な光学部材支持ピン２４ｂとを備えている。ランプクリップ２４は、ケース２０のランプクリップ取付孔３０に差し込まれることで、ケース２０に対して取付状態に保持されるようになっている。
【００３６】
ゴムホルダ２３は、図２，図３及び図５に示すように、シリコンゴムなどの弾性材料からなり、各ランプ２１の両端部にそれぞれ装着可能とされる。ゴムホルダ２３は、ケース２０の底板２０ａのうち取付孔２９が設けられた長辺方向の両端位置に、短辺方向（ランプ２１の軸線方向と直交する方向）に沿って多数個並んだ状態で取り付けられるようになっている。
【００３７】
ゴムホルダ２３は、略ブロック状をなす本体部３２を備え、この本体部３２のうちケース２０の中央側を向いた面（以下、ランプ装着面３２ａという）には、ランプ２１を挿入可能なランプ挿入孔３３が開口して設けられている。本体部３２のランプ装着面３２ａからは、ランプ２１の中央側へ突出してランプ２１の周りを取り囲む薄肉状の環状突部３４が設けられている。本体部３２の両側面３２ｂにおける上端部（ケース２０の底板２０ａ側とは反対側の端部）には、テーパ状に切り欠かれた切欠部３５が設けられている。本体部３２の両側面３２ｂにおける下端部（ケース２０の底板２０ａ側の端部）には、側方へ張り出す張出部３６が設けられており、その側面はテーパ状に形成されている。これにより、本体部３２は、ケース２０の底板２０ａ側ほど幅広になる形状とされる。本体部３２及び環状突部３４のうちケース２０の中央側を向いたランプ装着面３２ａ，３４ａは、図３に示す斜め上方（液晶パネル１１側）を向くよう傾いた傾斜面となっている。
【００３８】
本体部３２の裏面３２ｃ（ケース２０の底板２０ａとの対向面）には、リード線Ｗが引き出されるリード線引き出し部３７と、ケース２０に対して係止可能な抜け止め部３８とが裏側へ突出して設けられている。リード線引き出し部３７には、リード線Ｗを通すためのリード線挿通孔（図示せず）が本体部３２のランプ挿入孔３３に連通する深さに形成されている。リード線引き出し部３７は、本体部３２の裏面３２ｃのうちランプ装着面３２ａ側とは反対側（ケース２０の端側）の端部に設置されている。このリード線引き出し部３７は、ケース２０の取付孔２９のうち幅広部２９ａに挿入可能とされる。
【００３９】
抜け止め部３８は、本体部３２の裏面３２ｃのうち、リード線引き出し部３７に対してランプ装着面３２ａ寄りにずれた位置に配されており、リード線引き出し部３７とは分離されている。抜け止め部３８は、ケース２０の取付孔２９のうち幅狭部２９ｂに挿入可能とされる。抜け止め部３８における側面には、ケース２０の裏側に突出して取付孔２９の孔縁に対して係止可能な係止部３９が側方へ突出して設けられている。本体部３２の裏面３２ｃのうち、抜け止め部３８よりもランプ装着面３２ａ側の領域には、反射シート２８を逃がすための逃がし部４０が形成されている。本体部３２の裏面３２ｃにおいて逃がし部４０により形成される段差は、反射シート２８の厚み寸法とほぼ同じかそれより僅かに広くなる大きさに設定されている。
【００４０】
ランプホルダ２５は、表面が光の反射性に優れた色（例えば白色）とされた合成樹脂製とされており、ケース２０の短辺方向に沿って直線的に延出する形状とされる。ランプホルダ２５は、ケース２０のうち長辺方向の両端位置にそれぞれ装着されるとともに、そこに配された各取付孔２９及び各ゴムホルダ２３を覆うことができるようになっている。このランプホルダ２５により、ランプ２１のうち非発光部である両端部が覆われるようになっている。ランプホルダ２５、ゴムホルダ２３、取付孔２９、及びランプ２１の両端部は、既述したケース２０における非照射空間Ｈに配されている。また、ランプホルダ２５のうち液晶パネル１１側を向いた面側には、光学部材２２群を載置可能な受け部４１が設けられている。
【００４１】
ランプホルダ２５のうち、ケース２０側を向いた面側には、ゴムホルダ２３を個別に収容可能な収容室４２が設けられている。収容室４２は、ランプホルダ２５の延出方向に多数並んで設けられており、これにより１つのランプホルダ２５により多数個のゴムホルダ２３を一括して覆うことが可能とされる。この収容室４２は、上記した非照射空間Ｈとなっている。
【００４２】
収容室４２を構成する各壁４３〜４６は、ゴムホルダ２３の裏面３２ｃを除いた外面３２ａ，３２ｂ，３２ｄ，３２ｅを取り囲むことができるようになっている。詳しくは、収容室４２は、ゴムホルダ２３のランプ装着面３２ａと対向する内壁４３と、ゴムホルダ２３のランプ装着面３２ａとは反対側の面３２ｄと対向する外壁４４と、ゴムホルダ２３の両側面３２ｂと対向する一対の側壁４５と、ゴムホルダ２３の表側の面３２ｅ（ケース２０との対向面とは反対側の面）に対向する天井壁４６とにより囲まれた空間により構成され、ランプホルダ２５の裏面３２ｃ側に開口している。この収容室４２は、ゴムホルダ２３の本体部３２よりも高さ寸法、幅寸法（ケース２０の短辺方向についての寸法）、及び長さ寸法（ケース２０の長辺方向についての寸法）がいずれも一回り大きくなるよう形成されている。従って、収容室４２内にゴムホルダ２３が収容された状態では、ゴムホルダ２３の各外面３２ａ，３２ｂ，３２ｄ，３２ｅと収容室４２の各壁４３〜４６との間には、所定のクリアランス（隙間）が空けられる。
【００４３】
収容室４２の両側壁４５及び天井壁４６の内面には、ゴムホルダ２３との間の隙間分程度、内方へ部分的に突出する位置決め突部４７，４８が設けられており、この位置決め突部４７，４８がゴムホルダ２３の外面３２ｂ，３２ｅに当接することで、収容室４２内にてゴムホルダ２３を位置決め可能とされている。両側壁４５に設けられた位置決め突部４７は、図３及び図４に示すように、上下方向に沿って直線的に延出するリブにより構成され、両側壁４５における略中央位置に配されている。この位置決め突部４７は、本体部３２の両側面３２ｂの形状に合わせて突出代が変化する形状とされる。天井壁４６に設けられた位置決め突部４８は、ケース２０の長辺方向に沿って直線的に延出するリブと、ケース２０の短辺方向に沿って直線的に延出するリブとから十字形に形成され、両リブが天井壁４６の略中央に配されている。両位置決め突部４７，４８は、互いに面一状をなすよう連結されている。
【００４４】
収容室４２の内壁４３には、ランプ２１を通すためのランプ挿通溝４９が形成されている。ランプ挿通溝４９は、内壁４３を裏側へ開放させる形態で形成されている。このランプ挿通溝４９には、ゴムホルダ２３の環状突部３４が嵌合可能とされ、その溝縁に対して環状突部３４の外面が当接されるようになっている。この内壁４３は、斜め上方を向き、液晶パネル１１側へ傾いており、ゴムホルダ２３のランプ装着面３２ａとほぼ平行をなしている。これにより、ランプホルダ２５の内壁４３によってランプ２１から発せられた光を、液晶パネル１１の表示領域へと良好に導くことができる。
【００４５】
さて、ゴムホルダ２３の外面には、ランプホルダ２５に対して密接可能な密接突部５０が部分的に突出して設けられている。密接突部５０は、ゴムホルダ２３の本体部３２における両側面３２ｂ（ランプ装着面３２ａに隣接し、且つランプホルダ２５の着脱方向である上下方向に沿った面）に設けられている。なお、図１及び図２では、密接突部５０の図示を省略している。
【００４６】
密接突部５０は、本体部３２の側面３２ｂに沿ってケース２０の長辺方向（ランプ２１の軸線方向）へほぼ直線的に延出するとともに、外方へ片持ち状に突出する突片により構成されており、基端側を支点として弾性変形可能とされている。密接突部５０は、基端から先端（突出端）側に行くに連れて次第に厚みが薄くなる形態とされる。密接突部５０は、自然状態において斜め上方を向いた姿勢、つまりランプホルダ２５の装着方向とは反対側に向けて斜めに突出するよう形成されている。この密接突部５０における本体部３２の側面３２ｂから側方への突出代は、取付状態における本体部３２の側面３２ｂと、対向する収容室４２の側壁４５との間のクリアランスよりも大きくなる設定とされている。
【００４７】
密接突部５０は、本体部３２の両側面３２ｂのうち、位置決め突部４７との当接部位を挟んだ両側に並んで設けられている。密接突部５０は、本体部３２の両側面３２ｂにおいて、上下方向（ランプホルダ２５の着脱方向）に複数（図５では５つ）並んで設置されている。上下に並んだ各密接突部５０間の距離（間隔、ピッチ）は、ほぼ一定になっている。これら密接突部５０のうち図５に示す最も下側、つまり最もケース２０の取付孔２９に近い位置に配された密接突部５０は、本体部３２における下端部の張出部３６に設置されており、その先端が他の密接突部５０の先端よりも外側に位置している。
【００４８】
本実施形態は以上のような構造であり、続いてその作用を説明する。上記した構成の液晶表示装置１０は、それぞれ別の工程を経て製造された液晶パネル１１と、バックライト１２とをベゼル１３により一体的に固定することで製造される。続いて、バックライト１２の組み付け手順について詳しく説明する。
【００４９】
図３及び図５に示すように、各ランプ２１の両端部にそれぞれゴムホルダ２３を装着する一方、ケース２０内に反射シート２８及びランプクリップ２４を装着しておく。その状態でゴムホルダ２３をランプ２１と共にケース２０内に取り付ける作業を行う。ゴムホルダ２３のうち、リード線引き出し部３７及び抜け止め部３８がケース２０の取付孔２９内に挿入される過程では、取付孔２９との間に確保されたクリアランスによって挿入動作がスムーズなものとなっている。これにより、取り付けにあたってランプ２１を押し込む力が小さく済むので、ランプ２１が折れるなど損傷を受ける事態が防がれる。この過程では、抜け止め部３８の係止部３９が一旦弾縮される。
【００５０】
ゴムホルダ２３が正規深さまで差し込まれたところで、係止部３９がケース２０の底板２０ａの裏側に達するとともに弾性復帰し、取付孔２９の孔縁に対して係止される。これにより、ゴムホルダ２３がケース２０から抜け止め状態に保持される。また、ゴムホルダ２３の取り付けに伴って、ランプ２１の中間部分がランプクリップ２４のランプ把持部２４ａによって把持される。これにより、ランプ２１がケース２０の底板２０ａから少し浮いた位置に支持される。
【００５１】
全てのゴムホルダ２３及びランプ２１をケース２０に対して取り付けたら、続いてランプホルダ２５及び受け部材２６をケース２０内に取り付ける作業を行う。ケース２０の底板２０ａのうち、長辺方向の両端位置にランプホルダ２５を、短辺方向の両端位置に受け部材２６をそれぞれ取り付けるようにする。各収容室４２を各ゴムホルダ２３に位置合わせしつつ、ランプホルダ２５を被せ付ける過程では、両側壁４５の内面（本体部３２との対向面）よりも外側に位置する各密接突部５０の先端が側壁４５によって押し下げられて密接突部５０が弾性変形される。このランプホルダ２５の装着作業では、各密接突部５０を弾性変形させるのに伴って、抵抗力が発生するのであるが、仮に収容室４２に対するゴムホルダ２３のクリアランスを０またはマイナスに設定した場合と比較すると、その抵抗力は十分に小さくなっており、作業性に優れる。
【００５２】
ランプホルダ２５が正規に取り付けられると、図４，図６及び図７に示すように、各ゴムホルダ２３が対応する各収容室４２内に収容される。このとき、各密接突部５０は、収容室４２の側壁４５の内面に弾性変形しつつ密接した状態とされる。弾性変形した各密接突部５０は、先端がおじぎをした山形形状となっており、その頂点部が先端及び基端よりも取付孔２９からの距離が遠くなっている（図６）。特に、取付孔２９に最も近く、張出部３６に設けられた密接突部５０は、他の密接突部５０よりも変形量が大きくなっている。これら各密接突部５０によって、収容室４２の側壁４５と本体部３２の側面３２ｂとの間の隙間が上下に並んだ複数の空間に仕切られることになる。
【００５３】
ランプホルダ２５及び受け部材２６を取り付けたら、各光学部材２２を順に積層して設置した後、フレーム２７を取り付ける。その一方でケース２０の裏側にインバータ基板やコントロール基板などを取り付けることで、バックライト１２の組み付けが完了する。このバックライト１２は、既述した通りベゼル１３により液晶パネル１１と一体化される。
【００５４】
このようにして製造された液晶表示装置１０は、液晶パネル１１及びバックライト１２の長辺側が鉛直方向を向くよう立てた姿勢で使用される。液晶表示装置１０に画像を表示するには、バックライト１２の各ランプ２１を点灯させるとともに、液晶パネル１１に表示する画像の各信号を入力する。ここで、各ランプ２１が点灯されると、ケース２０内の温度が上昇するため、それによりケース２０内の空気には対流が生じることになる。このとき、ケース２０の取付孔２９とゴムホルダ２３の取付部分との間には、所定のクリアランスがあるため、このクリアランスを通って外部の空気がケース２０内に導入される可能性があり、それに伴って外部の塵埃がケース２０内に侵入することが懸念される。
【００５５】
ところが、本実施形態では、ゴムホルダ２３の本体部３２の両側面３２ｂに設けた各密接突部５０が、図６に示すように、ランプホルダ２５のうち収容室４２の両側壁４５の内面に弾性変形しつつ密接することで、収容室４２の側壁４５と本体部３２の側面３２ｂとの間の隙間が上下に並んだ複数の空間に仕切られており、これにより取付孔２９とゴムホルダ２３の取付部分との間に生じた幅方向（ランプ２１の軸線方向と直交（交差）する方向）についてのクリアランスを通る塵埃の侵入経路を塞がれている。従って、ケース２０外の塵埃が収容室４２内に侵入することが極力防がれている。これにより、ケース２０内の空間のうちランプホルダ２５よりも内側の照射空間Ｓ内に塵埃が侵入することが防がれるから、ランプ２１から照射された光に塵埃が投影されることがなく、もって液晶表示装置１０に表示不良が発生するのが防止される。しかも、各密接突部５０は、ゴムホルダ２３から部分的に突出する形態であるから、ランプホルダ２５の着脱作業性が良好なものとなっている。
【００５６】
また、収容室４２の内面には、部分的に突出するとともにゴムホルダ２３の外面３２ｂ，３２ｅに当接することで、ゴムホルダ２３を位置決め可能な位置決め突部４７，４８が設けられているから、収容室４２内に収容されるゴムホルダ２３の位置決めを図ることができる。
【００５７】
また、密接突部５０が片持ち状の突片により構成されているから、側壁４５との密着度が高くなり、塵埃の侵入を効果的に防止することができる。しかも、密接突部５０は、先端側に行くに連れて厚みが薄くなる形態とされているから、密接時に密接突部５０が容易に変形し、組み付け作業性に優れる。
【００５８】
また、密接突部５０は、自然状態においてランプホルダ２５の着脱方向に対して交差する方向に突出する形態とされているから、ランプホルダ２５の装着に伴って密接突部５０が変形したときの密接突部５０の形状が定まり易くなり、もって塵埃の侵入を安定的に防止することができる。しかも、各密接突部５０は、自然状態では図６に示す斜め上方、つまりランプホルダ２５の装着方向とは逆向きの斜め方向に向けて突出していて、弾性変形状態では、塵埃の侵入方向（図６に示す上方）に向かって山なりになっているので、塵埃の侵入を有効に防ぐことができる。
【００５９】
また、密接突部５０は、ゴムホルダ２３の本体部３２の側面３２ｂにて上下方向（ランプホルダ２５の着脱方向）に複数並んで設けられており、本体部３２の側面３２ｂと収容室４２の側壁４５との間の隙間が複数の空間に仕切られるから、一層高い防塵効果を得ることができる。しかも、各密接突部５０間の距離がほぼ一定になる配置とされているから、良好な防塵効果を得ることができる。
【００６０】
また、ゴムホルダ２３には、取付孔２９の孔縁に係止することで、ゴムホルダ２３をケース２０から抜け止め状態に保持可能な抜け止め部３８が設けられているから、ゴムホルダ２３をケース２０に対して固定することができる。しかも、ゴムホルダ２３には、抜け止め部３８に隣接してランプ２１に接続したリード線Ｗを引き出すためのリード線引き出し部３７が設けられているのに対し、取付孔２９は、抜け止め部３８とリード線引き出し部３７とにわたる範囲に開口して設けられているから、ケース２０に対するゴムホルダ２３の装着作業が容易なものとなっている。
【００６１】
＜実施形態２＞
本発明の実施形態２を図８または図９によって説明する。この実施形態２では、ゴムホルダ２３に密接突部５１を追加したものを示す。なおこの実施形態２では、上記した実施形態１と同様の構造、作用及び効果について重複する説明は省略する。
【００６２】
ゴムホルダ２３の本体部３２における裏面３２ｃ（ケース２０の底板２０ａとの対向面）からは、図８及び図９に示すように、密接突部５１が裏側（ケース２０の底板２０ａ側）へ向けて部分的に突出して設けられている。密接突部５１は、本体部３２の裏面３２ｃのうち逃がし部４０の形成領域に設置されており、ランプ２１の軸線方向に沿って複数（図８では４つ）並んで設けられている。各密接突部５１間の距離は、ほぼ一定となっている。密接突部５１は、本体部３２の裏面３２ｃに沿ってその幅方向（ランプ２１の軸線方向と直交する方向）へほぼ直線的に延出する形態とされ、本体部３２の全幅にわたる長さを有する。
【００６３】
この密接突部５１は、側面３２ｂに設けられた密接突部５０と同様に片持ち状の突片により構成されており、基端側から先端側に行くに連れて厚みが薄くなる形態とされる。そして、各密接突部５１は、ゴムホルダ２３がケース２０に対して装着されるのに伴い、ケース２０の底板２０ａや反射シート２８の内面に対して弾性変形しつつ密接されるようになっている。
【００６４】
ケース２０にゴムホルダ２３を装着した状態では、各密接突部５１のうち取付孔２９寄りの密接突部５１が、ケース２０の底板２０ａのうち取付孔２９よりも照射空間Ｓ寄りの部分に密接している。一方、照射空間Ｓ寄りの密接突部５１は、反射シート２８の端部に密接している。これにより、ゴムホルダ２３の裏面３２ｃに設けた逃がし部４０とケース２０の底板２０ａとの間に生じた隙間が各密接突部５０によって複数の空間に仕切られる。従って、取付孔２９のうち特に幅狭部２９ｂと抜け止め部３８との間の隙間を通って侵入しようとする外部の塵埃が、逃がし部４０とケース２０の底板２０ａとの間の隙間を通過するのが防止される。これにより、外部の塵埃がケース２０内の照射空間Ｓに侵入することが防止され、もって表示不良の発生を防止することができる。
【００６５】
＜実施形態３＞
本発明の実施形態３を図１０または図１１によって説明する。この実施形態３では、ゴムホルダ２３にさらに密接突部５２を追加したものを示す。なおこの実施形態３では、上記した実施形態２と同様の構造、作用及び効果について重複する説明は省略する。
【００６６】
ゴムホルダ２３の本体部３２における表側の面３２ｅ（ケース２０と対向面である裏面３２ｃとは反対側の面）には、図１０及び図１１に示すように、密接突部５２が表側（ケース２０の底板２０ａ側とは反対方向）へ向けて部分的に突出して設けられている。密接突部５２は、本体部３２の表側の面３２ｅにおいて、十字形の位置決め突部４８との当接部位を挟んだ４つの領域に複数ずつ（図１０では４つずつ）、ランプ２１の軸線方向に沿って並んで設けられている。隣接する各密接突部５２間の距離は、ほぼ一定となっている。密接突部５２は、本体部３２の表側の面３２ｅに沿ってその幅方向（ランプ２１の軸線方向と直交する方向）へほぼ直線的に延出する形態とされ、本体部３２の全幅にわたる長さを有する。
【００６７】
この密接突部５２は、側面３２ｂに設けられた密接突部５０や裏面３２ｃに設けられた密接突部５１と同様に片持ち状の突片により構成されており、基端側から先端側に行くに連れて厚みが薄くなる形態とされる。そして、各密接突部５２は、ランプホルダ２５が装着されるのに伴い、収容室４２の天井壁４６の内面に対して弾性変形しつつ密接されるようになっている。
【００６８】
ランプホルダ２５を装着した状態では、ゴムホルダ２３の本体部３２における表側の面３２ｅと、収容室４２の天井壁４６との間に生じた隙間が各密接突部５２によって複数の空間に仕切られる。従って、取付孔２９のうち特に幅広部２９ａとリード線引き出し部３７との間の隙間を通った外部の塵埃が、ゴムホルダ２３の表側の面３２ｅと収容室４２の天井壁４６との間の隙間を通過することが防止される。これにより、外部の塵埃がケース２０内の照射空間Ｓに侵入することが防止され、もって表示不良の発生を防止することができる。
【００６９】
＜実施形態４＞
本発明の実施形態４を図１２または図１３によって説明する。この実施形態４では、実施形態３とは密接突部５３の設置位置を変更したものを示す。なおこの実施形態４では、上記した実施形態３と同様の構造、作用及び効果について重複する説明は省略する。
【００７０】
ゴムホルダ２３の本体部３２におけるランプ装着面３２ａとは反対側の面３２ｄには、図１２及び図１３に示すように、密接突部５３がランプ２１側とは反対側へ向けて部分的に突出して設けられている。密接突部５３は、本体部３２のランプ装着面３２ａとは反対側の面３２ｄにおいて、上下方向（ランプ２１の軸線方向と直交し且つランプホルダ２５の着脱方向に沿った向き）に複数（図１０では７つ）並んで設けられている。隣接する各密接突部５３間の距離は、ほぼ一定となっている。密接突部５３は、本体部３２のランプ装着面３２ａとは反対側の面３２ｄに沿ってその幅方向へほぼ直線的に延出する形態とされ、本体部３２の全幅にわたる長さを有する。
【００７１】
この密接突部５３は、側面３２ｂに設けられた密接突部５０や裏面３２ｃに設けられた密接突部５１と同様に片持ち状の突片により構成されており、基端側から先端側に行くに連れて厚みが薄くなる形態とされる。そして、各密接突部５３は、ランプホルダ２５が装着されるのに伴い、収容室４２の外壁４４の内面に対して弾性変形しつつ密接されるようになっている。
【００７２】
ランプホルダ２５を装着した状態では、ゴムホルダ２３の本体部３２におけるランプ装着面３２ａとは反対側の面３２ｄと、収容室４２の外壁４４との間に生じた隙間が各密接突部５３によって複数の空間に仕切られる。従って、取付孔２９のうち特に幅広部２９ａとリード線引き出し部３７との間の隙間を通った外部の塵埃が、ゴムホルダ２３のランプ装着面３２ａと反対側の面３２ｄと収容室４２の外壁４４との間の隙間を通過することが防止される。これにより、外部の塵埃がケース２０内の照射空間Ｓに侵入することが防止され、もって表示不良の発生を防止することができる。
【００７３】
＜実施形態５＞
本発明の実施形態５を図１４または図１５によって説明する。この実施形態５では、ゴムホルダ２３の側面３２ｂに設けた密接突部５４，５５の形態を変更したものを示す。なおこの実施形態５では、上記した実施形態３と同様の構造、作用及び効果について重複する説明は省略する。
【００７４】
ゴムホルダ２３の本体部３２における両側面３２ｂに設けられた密接突部５４，５５は、図１４及び図１５に示すように、共に片持ち状の突片により構成されているものの、互いの板面が異なる方向を向いた形態とされる。詳しくは、本体部３２の側面３２ｂにおける位置決め突部４７との当接部位を挟んでランプ装着面３２ａ側（照射領域側）に設けられた密接突部５４は、実施形態１に示した密接突部５０と同様に、本体部３２の側面３２ｂに沿ってケース２０の長辺方向（ランプ２１の軸線方向）へほぼ直線的に延出する形態とされる。これに対し、本体部３２の側面３２ｂにおける位置決め突部４７との当接部位を挟んで端側（照射領域側と反対側）に設けられた密接突部５５は、本体部３２の側面３２ｂに沿って上下方向（ランプホルダ２５の着脱方向）、つまり密接突部５４の延出方向と直交する方向へほぼ直線的に延出する形態とされる。
【００７５】
ランプ装着面３２ａ側の密接突部５４は、上下に複数ほぼ等間隔に並んで設置されるのに対し、端側の密接突部５５は、ランプ２１の軸線方向に沿って複数ほぼ等間隔に並んで設置されている。そして、各密接突部５４，５５は、ランプホルダ２５が装着されるのに伴い、収容室４２の側壁４５の内面に対して弾性変形しつつ密接されるようになっている。
【００７６】
ランプホルダ２５を装着した状態では、本体部３２の両側面３２ｂと、収容室４２の両側壁４５との間に生じた隙間が各密接突部５４，５５によって複数の空間に仕切られる。このとき、端側の各密接突部５５により仕切られた空間がランプ２１の軸線方向に並ぶのに対し、ランプ装着面３２ａ側の各密接突部５４により仕切られた空間が上下方向に並ぶことになり、互いの仕切り空間の並び方向が直交している。従って、取付孔２９とゴムホルダ２３の取付部分との間の隙間を通った塵埃が、本体部３２の両側面３２ｂと収容室４２の両側壁４５との間の隙間を通過することが効果的に防止される。これにより、外部の塵埃がケース２０内の照射空間Ｓに侵入することが防止され、もって表示不良の発生を防止することができる。
【００７７】
＜実施形態６＞
本発明の実施形態６を図１６によって説明する。この実施形態６では、実施形態５とは、ランプ装着面３２ａ側の密接突部５７を変更するとともに、ランプホルダ２５についても変更したものを示す。なおこの実施形態６では、上記した実施形態５と同様の構造、作用及び効果について重複する説明は省略する。
【００７８】
ランプホルダ２５のうち、上下方向に沿って延びる形態の位置決め突部４７には、図１６に示すように、内方への突出端からランプ挿通溝４９側（照射空間Ｓ側）へ向けて所定長さ延出する延出部５６を有する。これに対し、ゴムホルダ２３の両側面３２ｂのうち、位置決め突部４７及び延出部５６と対向する領域に設けられた密接突部５７は、それよりも端寄りの領域に設けられた密接突部５５と比較して、側壁４５から位置決め突部４７及び延出部５６が内方へ突出する分だけ外方への突出長さが短くなっている。
【００７９】
ランプホルダ２５を装着した状態では、ランプ装着面３２ａ寄りに配された短い各密接突部５７が位置決め突部４７及び延出部５６に対して弾性変形しつつ密接するのに対し、端寄りに配された各密接突部５５が収容室４２の側壁４５の内面に対して弾性変形しつつ密接することで、本体部３２の両側面３２ｂと、収容室４２の両側壁４５との間に生じた隙間が各密接突部５５，５７によって複数の空間に仕切られる。これにより、外部の塵埃がケース２０内の照射空間Ｓに侵入することが防止され、もって表示不良の発生を防止することができる。
【００８０】
＜他の実施形態＞
本発明は上記記述及び図面によって説明した実施形態に限定されるものではなく、例えば次のような実施形態も本発明の技術的範囲に含まれる。
【００８１】
（１）密接突部の形態は適宜に変更可能であり、例えば、半球型やブロック型の突起状としたものや、中空部を有する両持ち状（半筒状）としたものも本発明に含まれる。
【００８２】
（２）上記した各実施形態に記載した各密接突部を適宜に組み合わせてゴムホルダに設置してもよい。
【００８３】
（３）上記した各実施形態では、ゴムホルダの外面から突出する突片を密接突部とした場合を示したが、逆にゴムホルダの外面に溝を形成し、相対的に突出した部分を密接突部としてもよく、そのようなものも本発明に含まれる。
【００８４】
（４）ケースに装着する全てのゴムホルダに密接突部を設置する必要はなく、一部のゴムホルダにのみ密接突部を設けるようしたものも本発明に含まれる。具体的には、液晶表示装置を使用する状態において、鉛直方向下側に位置するランプに装着するゴムホルダについて密接突部を設けるようにし、鉛直方向上側に位置するランプに装着するゴムホルダについては密接突部が無いものを用いるようにしてもよい。ランプ点灯に伴いケース内の空気は、下から上へと対流するので、上記構成により下側の取付孔から塵埃が侵入するのを防止すれば、表示不良の発生率を抑制する効果が得られる。
【００８５】
（５）ランプホルダの外面のうちランプ挿通溝との対向面に密接突部を設けるとともに、その溝縁に対して密接突部を弾性変形させつつ密接させるようにしたものも本発明に含まれる。同様に、ランプホルダの外面のうち位置決め突部との対向面に密接突部を設け、位置決め突部に対してその密接突部を弾性変形させつつ密接させるようにしたものも本発明に含まれる。
【００８６】
（６）ゴムホルダの本体部にランプ挿入孔に連通するスリットを形成し、そのスリットを通してランプの着脱が可能なタイプのものも本発明に含まれる。このタイプのゴムホルダでは、スリットからの塵埃の侵入が懸念されるため、一層効果的である。
【００８７】
（７）上記した各実施形態では、ランプ支持部品としてゴム材料からなるゴムホルダを例示したが、ゴム材料以外の弾性材料からなるランプ支持部品を用いたものも本発明に含まれる。
【００８８】
（８）上記した各実施形態では、取付孔が２つのゴムホルダを一括して取付可能なものを例示したが、ゴムホルダを個別に取り付けるタイプの取付孔を設けたものも本発明に含まれる。また、取付孔が抜け止め部用部分とリード線引き出し部用部分とに分離されるものも本発明に含まれる。
【００８９】
（９）上記した各実施形態以外にも、複数のランプ挿入孔を備えたゴムホルダにも本発明は適用可能である。
【００９０】
（１０）上記した各実施形態では、ケースの長辺方向とランプの軸線方向とが平行になるものを例示したが、ケースの短辺方向とランプの軸線方向とが平行になるものにも本発明は適用可能である。
【図面の簡単な説明】
【００９１】
【図１】本発明の実施形態１に係る液晶表示装置の分解斜視図
【図２】バックライトの分解斜視図
【図３】バックライトの分解側断面図
【図４】組み付けた状態の液晶表示装置の側断面図
【図５】バックライトの分解横断面図
【図６】組み付けた状態のバックライトの横断面図
【図７】組み付けた状態のバックライトの平断面図
【図８】本発明の実施形態２に係る液晶表示装置の側断面図
【図９】バックライトの横断面図
【図１０】本発明の実施形態３に係る液晶表示装置の側断面図
【図１１】バックライトの横断面図
【図１２】本発明の実施形態４に係る液晶表示装置の側断面図
【図１３】バックライトの平断面図
【図１４】本発明の実施形態５に係る液晶表示装置の側断面図
【図１５】バックライトの平断面図
【図１６】本発明の実施形態６に係る液晶表示装置の平断面図
【図１７】従来例の断面図
【符号の説明】
【００９２】
１０…液晶表示装置（表示装置）
１１…液晶パネル
１２…バックライト（表示装置用照明装置）
２０…ケース
２１…ランプ
２３…ゴムホルダ
２５…ランプホルダ
２９…取付孔
３２ａ…ランプ装着面（ランプが装着された面）
３２ｂ…側面
３２ｃ…裏面（ケースとの対向面）
３２ｄ…面（ランプが装着された面とは反対側の面）
３２ｅ…面（ケースとの対向面とは反対側の面）
３７…リード線引き出し部
３８…抜け止め部
４２…収容室
４７，４８…位置決め突部
５０，５１，５２，５３，５４，５５，５７…密接突部
５６…延出部
Ｗ…リード線
【図１】
2008140725.tif 000003
【図２】
2008140725.tif 000004
【図３】
2008140725.tif 000005
【図４】
2008140725.tif 000006
【図５】
2008140725.tif 000007
【図６】
2008140725.tif 000008
【図７】
2008140725.tif 000009
【図８】
2008140725.tif 000010
【図９】
2008140725.tif 000011
【図１０】
2008140725.tif 000012
【図１１】
2008140725.tif 000013
【図１２】
2008140725.tif 000014
【図１３】
2008140725.tif 000015
【図１４】
2008140725.tif 000016
【図１５】
2008140725.tif 000017
【図１６】
2008140725.tif 000018
【図１７】
2008140725.tif 000019